【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
コンピュータ実行可能命令を格納したコンピュータ読み取り可能記憶媒体であって、前記コンピュータ実行可能命令は、実行されると、
ユーザーの移動体デバイスからの通信情報のコピーによってデーター・ストアを更新する同期動作を実行するステップであって、前記同期動作は前記移動体デバイスによってワイヤレスに実行されるステップと、
前記ユーザーが、別の計算機を使用して前記データー・ストアにアクセスして前記通信情報の前記コピーを見ることを可能にするステップであって、前記通信情報の前記コピーは、前記移動体デバイスおよび前記別の計算機から遠隔で前記データー・ストアに格納される、ステップと、
前記ユーザーが、前記別の計算機を使用して、前記移動体デバイスにおいて生じた通信活動を見、前記データー・ストアに格納された前記通信情報の前記コピーから、前記移動体デバイスが受けたテキスト・メッセージまたはコールを選択できるようにするステップと、
前記ユーザーが、選択したテキスト・メッセージまたは選択したコールに応答するため、前記別の計算機から遠隔で、前記移動体デバイスに対する動作を開始することを可能にするステップと、
を含むステップをコンピュータに実行させる、コンピュータ読み取り可能記憶媒体。
【請求項２】
請求項１記載のコンピュータ読み取り可能記憶媒体において、前記通信情報の前記コピーは、前記移動体デバイスが受けるテキスト・メッセージの内容を含む、コンピュータ読み取り可能記憶媒体。
【請求項３】
請求項１または２に記載のコンピュータ読み取り可能記憶媒体において、選択した前記テキスト・メッセージはショート・メッセージ・サービス（ＳＭＳ）メッセージである、コンピュータ読み取り可能記憶媒体。
【請求項４】
請求項１から３のいずれかに記載のコンピュータ読み取り可能記憶媒体において、選択した前記テキスト・メッセージは、１つ以上のマルチメディア・オブジェクトを含むマルチメディア・メッセージ・サービス（ＭＭＳ）メッセージである、コンピュータ読み取り可能記憶媒体。
【請求項５】
請求項１から４のいずれかに記載のコンピュータ読み取り可能記憶媒体において、
前記通信情報の前記コピーは、ミス・コール・リストを含み、
選択した前記コールは、前記ミス・コール・リストから選択される、
コンピュータ読み取り可能記憶媒体。
【請求項６】
請求項１から５のいずれかに記載のコンピュータ読み取り可能記憶媒体において、
前記通信情報の前記コピーは、コール履歴リストを含み、
選択した前記コールは、前記コール履歴リストから選択される、
コンピュータ読み取り可能記憶媒体。
【請求項７】
請求項１から６のいずれかに記載のコンピュータ読み取り可能記憶媒体において、前記コンピュータ実行可能命令は、前記ユーザーが、選択したテキスト・メッセージに対する応答を送ることを前記別の計算機から前記移動体デバイスを通じて開始することができるようにし、これを、
選択した前記テキスト・メッセージに対する前記ユーザーが作成した前記応答を、前記別の計算機を使用して受けるステップと、
選択した前記メッセージに対する前記応答をサーバー側アウトボックス内に置くステップと、
選択した前記テキスト・メッセージに対する前記応答を前記移動体デバイスに送らせるため、ワイヤレス接続を通じて、選択した前記テキスト・メッセージに対する前記応答を前記移動体デバイスのアウトボックスに同期させるステップと、
により行う、コンピュータ読み取り可能記憶媒体。
【請求項８】
請求項１から７のいずれかに記載のコンピュータ読み取り可能記憶媒体において、前記コンピュータ実行可能命令は、前記別の計算機と前記移動体デバイスが互いに異なった国に物理的に位置しているときに、前記ユーザーが、前記別の計算機から前記移動体デバイスを通じてコールを行うことを開始できるようにする、コンピュータ読み取り可能記憶媒体。
【請求項９】
ネットワーク上のサーバーが、ユーザーの移動体デバイスを通じて送るテキスト・メッセージについてのメッセージ詳細を受信するステップであって、該メッセージ詳細が、別の計算機を使用して前記ユーザーによって入力されたものである、ステップと、
前記サーバーにおいて、前記ユーザーの前記移動体デバイスを通じて前記テキスト・メッセージを送る選択を、前記別の計算機から受信するステップと、
前記テキスト・メッセージをサーバー側アウトボックスに置くステップと、
前記サーバーが、前記サーバー側アウトボックスに置かれた前記テキスト・メッセージを、前記テキスト・メッセージが前記ユーザーの前記移動体デバイスによって送られるようにするため、前記ユーザーの前記移動体デバイスのアウトボックスにワイヤレス接続を通じて同期させるステップと、
を含む、方法。
【請求項１０】
請求項９記載の方法において、前記メッセージ詳細は、前記ユーザーの前記移動体デバイスを通じて送る前記テキスト・メッセージの目標とする受取人の電話番号を含む、方法。
【請求項１１】
請求項９または１０に記載の方法において、前記ユーザーの前記移動体デバイスを通じて送る前記テキスト・メッセージは、前記ユーザーの前記移動体デバイスが受けたテキスト・メッセージに対する応答である、方法。
【請求項１２】
請求項９から１１のいずれかに記載の方法であって、更に、
前記サーバーが、サーバー側送出済み項目フォルダーに、前記ユーザーの前記移動体デバイスが送った前記テキスト・メッセージのコピーを格納するステップ、
を含む、方法。
【請求項１３】
請求項９から１２のいずれかに記載の方法において、前記ユーザーの前記移動体デバイスを通じて送る前記テキスト・メッセージは、ショート・メッセージ・サービス（ＳＭＳ）メッセージである、方法。
【請求項１４】
請求項９から１３のいずれかに記載の方法において、前記ユーザーの前記移動体デバイスを通じて送る前記テキスト・メッセージは、１つ以上のマルチメディア・オブジェクトも含むマルチメディア・メッセージ・サービス（ＭＭＳ）メッセージである、方法。
【請求項１５】
ユーザーの移動体デバイスからの通信情報のコピーでデーター・ストアを更新する同期動作を実行するステップであって、該同期動作は、前記移動体デバイスとワイヤレスで実行される、ステップと、
前記ユーザーが、別の計算機を使用して前記データー・ストアにアクセスして前記通信情報の前記コピーを見ることを可能にするステップであって、前記通信情報の前記コピーは、前記移動体デバイスおよび前記別の計算機から遠隔で前記データー・ストアに格納される、ステップと、
前記データー・ストアに格納された前記通信情報の前記コピーから、前記移動体デバイスが受けた第三者からのコールの選択を受けるステップであって、前記選択は、前記ユーザーが前記別の計算機を使用して行われる、ステップと、
第三者の電話番号に電話コールを行うダイアリング・プロセスを前記移動体デバイスに開始させるため、前記ユーザーが選択した前記コールに対応する前記第三者の電話番号を、前記移動体デバイスに送るステップと、
前記移動体デバイスと前記別の計算機とに対する接続を同時に維持するステップと、
前記別の計算機に送信するために、前記移動体デバイスから１つ以上のデーター・パケットを受信するステップであって、前記移動体デバイスから受信する前記１つ以上のデーター・パケットが第三者の発話音声を含む、ステップと、
第三者への送信のために、１つ以上のデーター・パケットを前記移動体デバイスに送るステップであって、前記移動体デバイスに送る前記１つ以上のデーター・パケットが前記別の計算機の前記ユーザーの発話音声を含む、ステップと、
を含む、方法。
【請求項１６】
請求項１５記載の方法であって、更に、
前記電話コールが終了するまで、前記移動体デバイスからのデーター・パケットを受け、データー・パケットを前記移動体デバイスに送るステップ、
を含む、方法。
【請求項１７】
請求項１５または１６に記載の方法において、
前記通信情報の前記コピーは、ミス・コール・リストを含み、
前記ユーザーが前記第三者からの前記コールを前記ミス・コール・リストから選択したとき、前記電話番号は、プログラムによって選択される、方法。
【請求項１８】
請求項１５から１７のいずれかに記載の方法において、
前記通信情報の前記コピーは、コール履歴リストを含み、
前記ユーザーが前記第三者からの前記コールを前記コール履歴リストから選択したとき、前記電話番号は、プログラムによって選択される、方法。
【請求項１９】
請求項１５から１８のいずれかに記載の方法において、前記別の計算機が前記移動体デバイスとは物理的に離れて位置するとき、前記ダイアリング・プロセスは、前記移動体デバイスによって開始される、方法。
【請求項２０】
請求項１９記載の方法において、前記別の計算機と前記移動体デバイスとは、異なる国に物理的に位置する、方法。